(57)【要約】  サーバ（３）は、携帯端末（１）および宅内機器（２）と通信を行うためのサーバ側通信部（３０２）と、通信中の端末（１）の位置に関する情報を取得するための位置判断部（３０４）と、種々の位置条件と、それら条件にそれぞれ対応する複数の初期画面の内容を定める一群の画面情報とを記憶する初期画面記憶部（３０５）と、位置判断部（３０４）で取得された位置に関する情報から得られる位置情報が種々の位置条件の何れかの位置条件に対応すれば、その条件に対応する初期画面の内容を定める画面情報を記憶部（３０５）から抽出し、その情報を端末（１）に提供するための起動部３０６とを含む。
2013002034.tif 000002
【特許請求の範囲】
【請求項１】
住宅設備ネットワークシステム用サーバであって、前記サーバーは携帯端末と宅内機器と共に住宅設備ネットワークシステムを構成し、
前記携帯端末および前記宅内機器と通信を行うように構成されるサーバ側通信部と、
前記サーバ側通信部を介して通信中の携帯端末の位置に関する情報を取得するように構成される位置判断部と、
種々の位置条件と、それら位置条件にそれぞれ対応する複数の初期画面の内容を定める一群の画面情報とを記憶するように構成される初期画面記憶部と、
前記位置判断部で取得された位置に関する情報から得られる位置情報が種々の位置条件の何れかの位置条件に対応すれば、その位置条件に対応する初期画面の内容を定める画面情報を前記初期画面記憶部から抽出し、当該画面情報を当該携帯端末に提供するように構成される起動部と
を備えることを特徴とする住宅設備ネットワークシステム用サーバ。
【請求項２】
前記携帯端末から入力される制御内容に従い前記宅内機器の制御を行うように構成される機器制御部と、
前記サーバ側通信部を介して通信中の携帯端末の特定を行うように構成される識別処理部と
を更に備えることを特徴とする請求項１に記載の住宅設備ネットワークシステム用サーバ。
【請求項３】
前記宅内機器が設置されている住宅の位置情報を記憶するように構成される位置情報記憶部を更に備え、
前記位置判断部は、前記位置情報として、前記位置に関する情報と前記位置情報記憶部に記憶されている住宅の位置情報とから、当該携帯端末の当該住宅からの距離を得るように構成される
ことを特徴とする請求項１に記載の住宅設備ネットワークシステム用サーバ。
【請求項４】
地図情報を取得するように構成される地図情報取得部を更に備え、
前記位置判断部は、前記位置情報として、前記位置に関する情報と前記地図情報取得部によって取得された地図情報とから、当該携帯端末の地図上の地点を得るように構成される
ことを特徴とする請求項１に記載の住宅設備ネットワークシステム用サーバ。
【請求項５】
前記宅内機器が設置されている住宅の位置情報を記憶するように構成される位置情報記憶部と、地図情報を取得するように構成される地図情報取得部と、優先条件記憶部とを更に備え、
前記位置判断部は、前記位置情報として第１位置情報および第２位置情報を得るように構成され、
前記第１位置情報は、前記位置に関する情報と、前記位置情報記憶部に記憶されている住宅の位置情報とから、当該携帯端末の当該住宅からの距離を得ることによって得られ、
前記第２位置情報は、前記位置に関する情報と、前記地図情報取得部によって取得された地図情報とから、当該携帯端末の地図上の地点を得ることによって得られ、
前記初期画面記憶部は、前記第１位置情報に関連する種々の第１位置条件と、それら第１位置条件にそれぞれ対応する複数の初期画面の内容を定める一群の画面情報とを記憶し、また、前記第２位置情報に関連する種々の第２位置条件と、それら第２位置条件にそれぞれ対応する複数の初期画面の内容を定める一群の画面情報とを記憶するように構成され、
前記優先条件記憶部は、前記種々の第１位置条件にそれぞれ対応する複数の第１優先条件と、前記種々の第２位置条件にそれぞれ対応する複数の第２優先条件とを記憶するように構成され、
前記起動部は、位置判断部で得られた第１位置情報が種々の第１位置条件の何れかの第１位置条件に対応し、位置判断部で得られた第２位置情報が種々の第２位置条件の何れかの第２位置条件に対応すれば、
前記第１位置条件及び前記第２位置条件にそれぞれ対応する第１優先条件および第２優先条件を優先条件記憶部から読み出し、
前記第１位置条件及び前記第２位置条件から、前記第１優先条件および前記第２優先条件のうちのより高い優先条件に対応する位置情報を選択し、
その選択した位置条件に対応する初期画面の内容を定める画面情報を初期画面記憶部から抽出し、その画面情報を携帯端末に提供するように構成される
ことを特徴とする請求項１に記載の住宅設備ネットワークシステム用サーバ。
【請求項６】
前記種々の位置条件の１または複数の位置条件にそれぞれ対応し、前記宅内機器に対する制御内容としての１または複数の自動制御内容を記憶するように構成される自動制御内容記憶部を備え、
前記機器制御部は、前記位置判断部で取得された位置に関する情報から得られる位置情報が前記自動制御内容記憶部に記憶された１または複数の自動制御内容の何れかの自動制御内容に対応すれば、その自動制御内容を前記自動制御内容記憶部から抽出し、その自動制御内容に従って前記宅内機器の制御を行うように構成され、
前記初期画面記憶部は、前記自動制御内容記憶部に記憶された１または複数の自動制御内容にそれぞれ対応する１または複数の初期画面に、その１または複数の自動制御内容による制御の完了通知をあらかじめ含むように構成される
ことを特徴とする請求項２〜５のいずれかに記載の住宅設備ネットワークシステム用サーバ。
【発明の詳細な説明】
【技術分野】
【０００１】
本願発明は、住宅設備ネットワークシステム用サーバに関するものである。
【背景技術】
【０００２】
従来から、住宅設備ネットワークシステム用サーバが提案されてきた。例えば、日本国特許出願公開番号２００２−１０９２０３（以下「文献１」という）に示される、携帯端末器を用いた契約ユーザ向け住宅生活設備機器の遠隔制御監視サービスシステムがある。この遠隔制御監視サービスシステムは、ユーザが所持する携帯端末器の位置情報により、ユーザの住戸に設置された生活設備機器を自動制御するものである。【０００３】
しかしながら、上記文献１に示されるような従来のサービスシステムでは、ログイン後、最初に表示される画面がトップページであることが多い。このため、ユーザは、ログイン後、目的のページを表示させるために機器を操作しなければならないという問題が存在する。また、トップページ以外のページを最初に表示させることが可能な場合もあるが、その場合も、最初に表示されるページは固定されている。このため、表示されたページ以外のページが目的の場合は、やはり、目的のページを表示させるために機器を操作する必要があった。
【発明の概要】
【０００４】
本願発明は、このような従来の課題を解決するものであり、画面切り替えに要する手間や時間を削減できるサーバを提供することを目的としている。
【０００５】
本発明は、住宅設備ネットワークシステム用サーバ（３）であり、（少なくとも１つの）携帯端末（１）と（少なくとも１つの）宅内機器（２）と共に住宅設備ネットワークシステムを構成する。サーバ（３）は、上記課題を解決するために、サーバ側通信部（３０２）と位置判断部（３０４）と初期画面記憶部（３０５）と起動部（３０６）とを備えることを特徴としている。サーバ側通信部（３０２）は、携帯端末（１）および宅内機器（２）と通信を行うように構成される。位置判断部（３０４）は、サーバ側通信部（３０２）を介して通信中の携帯端末（１）の位置に関する情報を取得するように構成される。初期画面記憶部（３０５）は、種々の位置条件と、それら位置条件にそれぞれ対応する複数の初期画面の内容を定める一群の画面情報とを記憶するように構成される。起動部（３０６）は、位置判断部（３０４）で取得された位置に関する情報から得られる位置情報が種々の位置条件の何れかの位置条件に対応すれば、その位置条件に対応する初期画面の内容を定める画面情報を前記初期画面記憶部（３０５）から抽出し、その画面情報を携帯端末（１）に提供するように構成される。
【０００６】
一実施形態において、サーバ（３）は、携帯端末（１）から入力される制御内容に従い宅内機器（２）の制御を行うように構成される機器制御部（３０１）と、サーバ側通信部（３０２）を介して通信中の携帯端末（１）の特定を行うように構成される識別処理部（３０３）とを更に備える。位置判断部（３０４）は、サーバ側通信部（３０２）を介して通信中の携帯端末（１）の位置情報を取得し、その携帯端末（１）の位置を判断するように構成される。
【０００７】
一実施形態において、サーバ（３）は、宅内機器（２）が設置されている住宅の位置情報を記憶するように構成される位置情報記憶部（３０７）を更に備える。この実施形態では、位置判断部（３０４）は、前記位置情報として、前記位置に関する情報と位置情報記憶部（３０７）に記憶されている住宅の位置情報とから、携帯端末（１）の住宅からの距離を得るように構成される。
【０００８】
一実施形態において、サーバ（３）は、地図情報を取得するように構成される地図情報取得部（３０８）を更に備える。この実施形態では、位置判断部（３０４）は、前記位置情報として、前記位置に関する情報と地図情報取得部（３０８）によって取得された地図情報とから、この携帯端末（１）の地図上の地点を得るように構成される。
【０００９】
一実施形態において、サーバ（３）は、宅内機器（２）が設置されている住宅の位置情報を記憶するように構成される位置情報記憶部（３０７）と、地図情報を取得するように構成される地図情報取得部（３０８）と、優先条件記憶部（３０９）とを更に備える。この実施形態では、位置判断部（３０４）は、前記位置情報として第１位置情報および第２位置情報を得るように構成される。前記第１位置情報は、前記位置に関する情報と、位置情報記憶部（３０７）に記憶されている住宅の位置情報とから、携帯端末（１）の住宅からの距離を得ることによって得られる。また、前記第２位置情報は、前記位置に関する情報と、地図情報取得部（３０８）によって取得された地図情報とから、携帯端末（１）の地図上の地点を得ることによって得られる。初期画面記憶部（３０５）は、前記第１位置情報に関連する種々の第１位置条件と、それら第１位置条件にそれぞれ対応する複数の初期画面の内容を定める一群の画面情報とを記憶し、また、前記第２位置情報に関連する種々の第２位置条件と、それら第２位置条件にそれぞれ対応する複数の初期画面の内容を定める一群の画面情報とを記憶するように構成される。優先条件記憶部（３０９）は、前記種々の第１位置条件にそれぞれ対応する複数の第１優先条件と、前記種々の第２位置条件にそれぞれ対応する複数の第２優先条件とを記憶するように構成される。起動部（３０６）は、位置判断部（３０４）で得られた第１位置情報が種々の第１位置条件の何れかの第１位置条件に対応し、位置判断部（３０４）で得られた第２位置情報が種々の第２位置条件の何れかの第２位置条件に対応すれば、前記第１位置条件及び前記第２位置条件にそれぞれ対応する第１優先条件および第２優先条件を優先条件記憶部（３０９）から読み出し、前記第１位置条件及び前記第２位置条件から、前記第１優先条件および前記第２優先条件のうちのより高い優先条件に対応する位置情報を選択し、その選択した位置条件に対応する初期画面の内容を定める画面情報を初期画面記憶部（３０５）から抽出し、その画面情報を携帯端末（１）に提供するように構成される。
【００１０】
一実施形態において、サーバ（３）は、前記種々の位置条件の１または複数の位置条件にそれぞれ対応し、宅内機器（２）に対する制御内容としての１または複数の自動制御内容を記憶するように構成される自動制御内容記憶部（３１０）を備える。この実施形態では、機器制御部（３０１）は、位置判断部（３０４）で取得された位置に関する情報から得られる位置情報が自動制御内容記憶部（３１０）に記憶された１または複数の自動制御内容の何れかの自動制御内容に対応すれば、その自動制御内容を自動制御内容記憶部（３１０）から抽出し、その自動制御内容に従って宅内機器（２）の制御を行うように構成される。初期画面記憶部（３０５）は、自動制御内容記憶部（３１０）に記憶された１または複数の自動制御内容にそれぞれ対応する１または複数の初期画面に、その１または複数の自動制御内容による制御の完了通知をあらかじめ含むように構成される。例えば、自動制御内容記憶部（３１０）が、前記種々の位置条件の１の位置条件に対応し、宅内機器（２）に対する制御内容としての１の自動制御内容を記憶しているとき、初期画面記憶部（３０５）は、その自動制御内容に対応する１の初期画面に、その自動制御内容による制御の完了通知をあらかじめ含む。また、自動制御内容記憶部（３１０）が、前記種々の位置条件の複数の位置条件にそれぞれ対応し、宅内機器（２）に対する制御内容として複数の自動制御内容を記憶しているとき、初期画面記憶部（３０５）は、その複数の自動制御内容にそれぞれ対応する複数の初期画面に、それぞれ、その複数の自動制御内容による制御の完了通知をあらかじめ含む。つまり、その複数の初期画面の各々は、対応する自動制御内容による制御の完了通知をあらかじめ含む。
【００１１】
本発明のサーバは、携帯端末の位置に応じて、あらかじめ設定された可変の初期画面を携帯端末に表示させるので、ログイン直後の、画面切り替えに要する手間や時間を削減できるという効果がある。
【図面の簡単な説明】
【００１２】
本発明の好ましい実施形態をさらに詳細に記述する。本発明の他の特徴および利点は、以下の詳細な記述および添付図面に関連して一層良く理解されるものである。
【図１】本発明の実施形態にかかる住宅設備ネットワークシステムの構成図である。
【図２】該住宅設備ネットワークシステム用サーバの構成図である。
【図３】本実施形態における初期画面記憶部の記憶内容の一例を示す図である。
【図４】本実施形態における位置情報記憶部の記憶内容の一例を示す図である。
【図５】本実施形態における優先条件記憶部の記憶内容の一例を示す図である。
【図６】本実施形態における自動制御内容記憶部の記憶内容の一例を示す図である。
【図７】本実施形態にかかるサーバのフローチャートである。
【図８】本発明の実施形態にかかるサーバの地点を考慮しない場合の構成図である。
【図９】本発明の実施形態にかかるサーバの距離を考慮しない場合の構成図である。
【図１０】本発明の実施形態にかかるサーバの自動制御内容に基づいた制御を行わない場合の構成図である。
【図１１】本発明の実施形態にかかるサーバの自動制御内容に基づいた制御を行わず、距離および地点を考慮しない場合の構成図である。
【発明を実施するための形態】
【００１３】
以下、本発明に係る実施形態について図面を用いて説明する。なお、各図において同一の符号を付した構成は、同一の構成であることを示し、その説明を省略する。ただし、以下の実施形態は本発明の実施例を示したに過ぎず、本発明はこれに限定されるものではない。
【００１４】
（実施形態）
本発明の実施形態を図１、図２に示す。この住宅設備ネットワークシステム用サーバ３（以下単に「サーバ３」という）は、少なくとも１つの携帯端末１と少なくとも１つの宅内機器２と共に住宅設備ネットワークシステムを構成する。携帯端末１とは例えば携帯電話などであり、宅内機器２とは、例えば照明機器やエアコン、電子錠、防犯カメラなど、住宅において用いられる機器である。これら宅内機器２は、携帯端末１およびサーバ３と、ホームゲートウェイ装置を介してインターネット経由で通信を行うように構成される。携帯端末１およびサーバ３間の通信も、インターネット経由で行われる。一例において、住宅設備ネットワークシステムは、住宅毎に、複数の携帯端末１と複数の宅内機器２を含む。例えば、住宅設備ネットワークシステムは、複数の住宅のそれぞれに携帯端末１と宅内機器２を含む。例えば、複数の住宅にはそれぞれ複数の識別子が割り当てられ、各住宅に含まれる１又は複数の携帯端末１及び１又は複数の宅内機器２の各々は、それ自身の住宅の識別子によって互いに関連付けられる。
【００１５】
本実施形態の概要を述べると、このサーバ３は、携帯端末１と宅内機器２とサーバ３とを有する住宅設備ネットワークシステムに用いられるものである。そして、サーバ３は、機器制御部３０１とサーバ側通信部３０２と識別処理部３０３と位置判断部３０４と初期画面記憶部３０５と起動部３０６とを備えることを特徴としている。機器制御部３０１は、携帯端末１から入力される制御内容に従い宅内機器２の制御を行うように構成される。サーバ側通信部３０２は、携帯端末１および宅内機器２と通信を行うように構成される。識別処理部３０３は、サーバ側通信部３０２を介して通信中の携帯端末１の特定（例えば認証）を行うように構成される。位置判断部３０４は、サーバ側通信部３０２を介して通信中の携帯端末１の位置に関する情報を取得するように構成される。本実施形態では、位置判断部３０４は、識別処理部３０３で特定され、サーバ側通信部３０２を介して通信中の携帯端末１の位置に関する情報を取得するように構成される。
【００１６】
初期画面記憶部３０５は、種々の位置条件と、それら位置条件にそれぞれ対応する複数の初期画面の内容を定める一群の画面情報とを記憶するように構成される。一例において、住宅設備ネットワークシステムは複数の携帯端末１を含み、初期画面記憶部３０５は、携帯端末１ごとに、種々の位置条件と、それら位置条件にそれぞれ対応する複数の初期画面の内容を定める一群の画面情報とをあらかじめ記憶するように構成される。
【００１７】
起動部３０６は、位置判断部３０４で取得された位置に関する情報から得られる位置情報が、種々の位置条件の何れかの位置条件に対応すれば、その位置条件に対応する初期画面の内容を定める画面情報を初期画面記憶部３０５から抽出し、その画面情報を携帯端末１に提供するように構成される。上記種々の位置条件は、位置判断部３０４から得られる各位置情報に関連する。一例において、位置情報は、識別処理部３０３で特定された携帯端末１から位置判断部３０４で取得された位置に関する情報から得られる。この例では、起動部３０６は、その位置情報が種々の位置条件の何れかの位置条件に対応すれば、その位置条件に対応する初期画面の内容を定める画面情報を初期画面記憶部３０５から抽出し、その画面情報を携帯端末１に提供するように構成される。
【００１８】
また、このサーバ３は、宅内機器２が設置されている住宅の位置情報を記憶するように構成される位置情報記憶部３０７と、地図情報を取得するように構成される地図情報取得部３０８と、優先条件記憶部３０９とを備える。一例において、住宅設備ネットワークシステムは複数の携帯端末１を含み、位置情報記憶部３０７は、携帯端末１ごとに、宅内機器２が設置されている住宅の位置情報を記憶するように構成される。
【００１９】
位置判断部３０４は、上記位置情報として第１位置情報および第２位置情報を得るように構成される。第１位置情報は、上記位置に関する情報と、位置情報記憶部３０７に記憶されている住宅の位置情報とから、携帯端末１の住宅からの距離を得ることによって得られる。第２位置情報は、上記位置に関する情報と、地図情報取得部３０８によって取得された地図情報とから、携帯端末１の地図上の地点を得ることによって得られる。初期画面記憶部３０５は、第１位置情報（詳しくは位置判断部３０４から得られる各第１位置情報）に関連する種々の第１位置条件と、それら第１位置条件にそれぞれ対応する複数の初期画面の内容を定める一群の画面情報とを記憶し、また、第２位置情報（詳しくは位置判断部３０４から得られる各第２位置情報）に関連する種々の第２位置条件と、それら第２位置条件にそれぞれ対応する複数の初期画面の内容を定める一群の画面情報とを記憶するように構成される。優先条件記憶部３０９は、上記種々の第１位置条件にそれぞれ対応する複数の第１優先条件と、上記種々の第２位置条件にそれぞれ対応する複数の第２優先条件とを記憶するように構成される。一例において、優先条件記憶部３０９は、携帯端末１ごとに、複数の第１優先条件と複数の第２優先条件とをあらかじめ記憶するように構成される。
【００２０】
起動部３０６は、位置判断部３０４で得られた第１位置情報が種々の第１位置条件の何れかの第１位置条件に対応し、位置判断部３０４で得られた第２位置情報が種々の第２位置条件の何れかの第２位置条件に対応すれば、第１位置条件及び第２位置条件にそれぞれ対応する第１優先条件および第２優先条件を優先条件記憶部３０９から読み出すように構成される。次いで、起動部３０６は、第１位置条件及び第２位置条件から、第１優先条件および第２優先条件のうちのより高い優先条件に対応する位置条件を選択し、その選択した位置条件に対応する初期画面の内容を定める画面情報を初期画面記憶部３０５から抽出し、その画面情報を携帯端末１に提供するように構成される。一例において、上記第１位置情報および第２位置情報の各々は、識別処理部３０３で特定された携帯端末１から位置判断部３０４で取得された位置に関する情報から得られる。
【００２１】
さらに、このサーバ３は、上記種々の位置条件の１または複数の位置条件にそれぞれ対応し、宅内機器２に対する制御内容としての１または複数の自動制御内容を記憶するように構成される自動制御内容記憶部３１０を備える。一例において、自動制御内容記憶部３１０は、携帯端末１ごとに、上記種々の位置条件と、上記１または複数の自動制御内容とをあらかじめ記憶するように構成される。機器制御部３０１は、位置判断部３０４で取得された位置に関する情報から得られる位置情報が、自動制御内容記憶部３１０に記憶された１または複数の自動制御内容（の何れか）に対応すれば、その自動制御内容を自動制御内容記憶部３１０から抽出し、その自動制御内容に従って宅内機器２の制御を行うように構成される。一例において、その位置情報は、識別処理部３０３で特定された携帯端末１から位置判断部３０４で取得された位置に関する情報から得られる。
【００２２】
初期画面記憶部３０５は、自動制御内容記憶部３１０に記憶された１または複数の自動制御内容にそれぞれ対応する初期画面に、その１または複数の自動制御内容による制御の完了通知（つまり、対応する完了通知）をあらかじめ含むように構成される。
【００２３】
起動部３０６は、位置判断部３０４で得られた位置情報が種々の位置条件の何れかの位置条件に対応すれば、その位置条件に対応する初期画面の内容を定める画面情報を初期画面記憶部３０５から抽出し、その画面情報を携帯端末１に提供する。このとき、画面情報が完了通知を含めば、その完了通知が携帯端末１に表示される。
【００２４】
ここから、本実施形態のサーバ３を具体的に説明する。
【００２５】
機器制御部３０１は、携帯端末１から入力される制御内容に従い、制御内容の対象の宅内機器２を制御する。制御内容とは、例えば、照明機器の点灯や、空調機器の電源ＯＮ、電気錠の開錠などである。機器制御部３０１はまた、自動制御内容記憶部３１０に記憶されている自動制御内容に基づき、宅内機器２の制御を行う。自動制御内容とは、携帯端末１によるサーバ３へのログイン時に、携帯端末１の位置が特定の位置条件に当てはまる場合、ログイン後に、携帯端末１による操作入力なしに実行される制御の内容のことである。自動制御内容には、その制御の対象の宅内機器２の識別情報も含まれる。自動制御内容に基づいた制御を行う際、機器制御部３０１は、自動制御内容記憶部３１０に記憶され、識別処理部３０３により特定された通信中の携帯端末１の自動制御内容を参照し、位置判断部３０４で取得された位置に関する情報から得られる位置情報に対応する位置条件を検索する。検索の結果、その位置条件に対応する自動制御内容が存在すれば、機器制御部３０１は、宅内機器２に対し、その位置条件に対応した制御を行う。例えば、ある携帯端末１に対して、自宅から１ｋｍ以内という位置条件で、エアコンの電源ＯＮという自動制御内容が記憶されている場合を考える。このとき、機器制御部３０１は、位置判断部３０４により判断された携帯端末１の位置が、この位置条件に当てはまると判断すると、制御対象機器として設定されているエアコンの電源を入れる。
【００２６】
サーバ側通信部３０２は、インターネット経由で、携帯端末１および宅内機器２と通信を行う。
【００２７】
識別処理部３０３は、サーバ側通信部３０２を介して通信中の携帯端末１に対し、その携帯端末１の特定を行う。識別処理部３０３は、認証情報のデータベースを保持する記憶部を有する。特定は、通信を求めてきた携帯端末１に対し、例えばＩＤとパスワードからなる認証情報を要求し、認証情報をデータベースと照合することにより行う。認証情報は、例えば携帯端末１の固有識別情報などでも構わない。
【００２８】
位置判断部３０４は、通信中の携帯端末１から、その携帯端末１の位置に関する情報を取得し、その携帯端末１の位置情報を得る。この位置に関する情報は、携帯端末１がサーバ３に認証情報を送信する際に、認証情報とともに送信される。位置に関する情報とは、例えばＧＰＳなどにより取得される経緯度等の座標情報である。位置判断部３０４は、通信中の携帯端末１の位置情報として、その携帯端末１の住宅からの距離を取得し、またその携帯端末１の地図上の地点を取得する。詳しく述べると、位置判断部３０４は、携帯端末１から送られてきた位置に関する情報と、位置情報記憶部３０７に記憶され、その携帯端末１の使用者の自宅の位置情報とから、自宅である住宅からその携帯端末１までの距離を計算する。そして、位置判断部３０４は、自宅から、求められた距離だけ離れた場所が、携帯端末１の位置であると判断する。また、位置判断部３０４は、携帯端末１から送られてきた位置に関する情報と、地図情報取得部３０８によって取得された地図情報とから、その携帯端末１の地図上の地点を取得する。そして、位置判断部３０４は、その地点が携帯端末１の位置であると判断する。例えば、携帯端末１の座標が表す場所が、地図上でＸＸ駅（ＸＸは駅名である）とされている地点であれば、位置判断部３０４は、携帯端末１の位置がＸＸ駅であると判断する。
【００２９】
初期画面記憶部３０５は、携帯端末１ごとに、種々の位置条件と、それら位置条件にそれぞれ対応する複数の初期画面の内容を定める一群の画面情報とをあらかじめ記憶する。また、初期画面記憶部３０５は、種々の位置条件の一または複数の位置条件にそれぞれ対応し、宅内機器２に対する１または複数の自動制御内容による制御の完了通知を、対応する１または複数の初期画面にあらかじめ含む。初期画面とは、ユーザが携帯端末１を介してサーバ３にログインした際に、ログイン画面の次に表示される画面である。多くの場合、初期画面はトップページである。トップページ以外の画面を初期画面として表示させたい場合についてのみ、位置条件と画面内容を記憶させるようにしてもよいし、すべての位置条件に対して画面内容を記憶させるようにしてもよい。すべての位置条件に対して画面内容を記憶させる場合、特に設定のない位置条件に対応する画面内容は、トップページの画面とする。図３に初期画面記憶部３０５の記憶テーブルの例を示す。この例では、住宅設備ネットワークシステムにおける携帯端末１のそれぞれについて、トップページ以外の画面を初期画面とするときの位置条件と、その位置条件のときに表示する初期画面の画面内容とを記憶する。例えば、「自宅から５０ｍ以内」が位置条件であり、その位置条件に対応する画面内容は玄関の「電子錠の操作ページ」であり、これらが記憶される。また、「京阪ＸＸＸ駅」（ＸＸＸは駅名である）が位置条件であり、これに対応する画面内容は、照明機器という宅内機器２に対する「照明点灯完了通知ページ」であり、これらが記憶される。このように、宅内機器２に対する制御の完了通知を画面内容としてもよい。位置条件と画面内容は、携帯端末１に入力され、サーバ側通信部３０２を介して初期画面記憶部３０５に記憶される。パソコンなどからサーバ３にログインして位置条件と画面内容を入力するようにしてもよい。なお、デフォルトとして位置条件と画面内容がいくつか設定されていてもよい。
【００３０】
起動部３０６は、初期画面記憶部３０５に記憶され、識別処理部３０３により特定された通信中の携帯端末１の画面内容を参照し、位置判断部３０４により得られた位置情報に対応する位置条件を検索する。そして、その位置条件が、いずれかの画面内容の位置条件に対応すれば、その位置条件に対応した画面内容の画面情報（データ）を携帯端末１に送信することで、初期画面を携帯端末１に提供する。このとき、起動部３０６は、携帯端末１の位置情報としての距離と地点とが、それぞれ別の画面内容に対する位置条件に該当する場合、優先条件記憶部３０９に記憶された携帯端末１の優先条件に従い、距離と地点とのどちらかに該当する位置条件を選択する。そして、その位置条件に対応した画面内容の初期画面を携帯端末１に提供する。位置判断部３０４により判断された通信中の携帯端末１の位置情報が、何れの画面内容の位置条件にも対応しなければ、起動部３０６は、初期画面として、あらかじめ決められたトップページを携帯端末１に提供する。
【００３１】
位置情報記憶部３０７は、携帯端末１に対応する宅内機器２が設置されている住宅の位置情報を記憶する。ここで、この位置情報とは、例えば住所と座標である。図４に位置情報記憶部３０７の記憶テーブルの例を示す。
【００３２】
地図情報取得部３０８は、例えばインターネット等を介して地図情報を取得する。地図情報とは、空間上の特定の地点または区域の位置を示す情報のことである。
【００３３】
優先条件記憶部３０９は、携帯端末１ごとに、優先条件をあらかじめ記憶する。優先条件とは、初期画面記憶部３０５に記憶されている画面内容において、位置判断部３０４により取得される位置情報としての距離と地点とが、それぞれ別の位置条件に該当する場合に、どちらの位置条件を優先するかを決めたものである。つまり、優先条件とは、競合する位置条件について、その優先順位を定めたものである。図５に優先条件記憶部３０９の記憶テーブルの一例を示す。例えば、京阪ＸＸ駅が、自宅から３ｋｍの位置にあるとすると、携帯端末１が京阪ＸＸ駅にある場合、位置判断部３０４は、自宅から３ｋｍという距離（第１位置情報）と京阪ＸＸ駅という地図上の地点（第２位置情報）とを、携帯端末１の位置と判断する。この位置は、自宅から５ｋｍ以内という位置条件（第１位置条件）と、京阪ＸＸ駅という位置条件（第２位置条件）の両方に当てはまる。このような場合に、京阪ＸＸ駅という位置条件（第２位置条件）に対する画面内容を選択するようにしたいならば、図５のように、第１位置条件よりも京阪ＸＸ駅という位置条件（第２位置条件）を優先するよう第１優先条件および第２優先条件を設定すればよい。図５の例では、第１位置条件に対応する第１優先条件は、優先順位２であり、第２位置条件に対応する第２優先条件は、優先順位１である。
【００３４】
自動制御内容記憶部３１０は、携帯端末１ごとに、位置条件と、その位置条件に対応する、宅内機器２に対する制御内容である自動制御内容とをあらかじめ記憶する。つまり、住宅設備ネットワークシステムにおける携帯端末１のそれぞれについて、ログイン後、自動的に宅内機器２の制御を行うときの位置条件と、その位置条件のときに制御を行う対象の宅内機器２と制御の内容とを記憶する。自動制御内容は、位置条件に応じて何らかの制御を行わせたい場合についてのみ記憶させるようにしてもよいし、すべての位置条件に対して自動制御内容を記憶させるようにしてもよい。すべての位置条件に対して自動制御内容を設定する場合は、宅内機器２を制御する必要のない位置条件については、制御しない、という自動制御内容を記憶させる。これらの自動制御内容は、初期画面記憶部３０５に記憶されている、宅内機器２に対する画面内容である制御の完了通知と対応している。つまり、ある位置条件に対応させて宅内機器２を自動制御させたい場合、その制御内容を、位置条件に対応させて自動制御内容記憶部３１０に記憶させ、また、この制御内容の制御の完了通知を、同じ位置情報に対応させて初期画面記憶部３０５に記憶させる。このような初期画面記憶部３０５と自動制御内容記憶部３１０との対応は、入力者が確認するようにしてもよいし、サーバ３によって自動的にチェックされ、不整合があれば入力者に警告するようにしてもよい。また、自動制御内容を記憶させると、それに対応した完了通知が画面内容として自動的に設定されるようにしてもよい。反対に、完了通知を画面内容として記憶させると、それに対応した自動制御内容が自動的に設定されるようにしてもよい。このようにして、初期画面と自動制御内容の整合が取れている場合、自動制御内容に従い何らかの制御を行うときは、必ずその制御の完了通知が初期画面として提供される。よって、優先条件記憶部３０９に記憶される優先順位は、初期画面の位置条件についてのみで十分となる。図６に自動制御内容記憶部３１０の記憶テーブルの例を示す。記憶内容の入力設定方法については、初期画面記憶部３０５と同様である。
【００３５】
次に、上述のように構成されたサーバ３の動作について、図７に示すフローを用いて説明する。
【００３６】
まず、ユーザは、このサーバ３によるサービスを利用するために、携帯端末１を用いて、サーバ３が提供するログイン用のページを表示する。そして、ユーザにより入力された認証情報と、そのときの携帯端末１の位置に関する情報が、携帯端末１からサーバ３に送信される。認証情報として携帯端末１の固有情報を用いる場合は、ユーザによる入力は不要である。サーバ３は、サーバ側通信部３０２を介して、認証情報と位置に関する情報を取得する（ステップＳ１）。
【００３７】
識別処理部３０３は、この認証情報を用いて通信中の携帯端末１の認証処理を行い、携帯端末１の使用者が正当なユーザであると判断すれば（ステップＳ２でＹｅｓ）、位置判断部３０４による次の処理を許可する。識別処理部３０３は、携帯端末１の使用者が正当なユーザでないと判断すれば（ステップＳ２でＮｏ）、以降の処理を許可せず、フローはステップＳ１に戻る。
【００３８】
識別処理部３０３により携帯端末１の使用者が正当なユーザであると判断されると（ステップＳ２でＹｅｓ）、位置判断部３０４は、携帯端末１から送信された位置に関する情報から、携帯端末１の位置情報を得る（ステップＳ３）。
【００３９】
起動部３０６は、初期画面記憶部３０５および自動制御内容記憶部３１０における、通信中の携帯端末１に対応する部分（フィールド）を参照し、ステップＳ３で得られた位置情報に対応する位置条件を検索する。検索の結果、初期画面記憶部３０５の記憶内容に、ステップＳ３で得られた位置情報に対応する位置条件が記憶されていれば（ステップＳ４でＹｅｓ）、起動部３０６は、その位置条件に対応する画面内容を抽出し、それを初期画面と判断する。その位置情報が、自動制御内容記憶部３１０における自動制御内容の位置条件にも該当した場合には、対応する自動制御内容も抽出する（ステップＳ５）。一方、該当する位置条件が記憶内容になければ（ステップＳ４でＮｏ）、起動部３０６は、トップページを初期画面と判断する（ステップＳ８）。
【００４０】
そして、起動部３０６は、ログイン後の初期画面として、携帯端末１に、ステップＳ５またはステップＳ８で判断した画面内容を表示させるための処理を実行する。ステップＳ５で自動制御内容が判断されている場合は、機器制御部３０１は、その自動制御内容の制御を行うための処理を実行する（ステップＳ６）。
【００４１】
起動部３０６は、サーバ側通信部３０２を介して、初期画面の画面情報（データ）を携帯端末１に送信する（ステップＳ７）。
【００４２】
このように、本実施形態のサーバ３は、携帯端末１の位置に応じて、あらかじめ設定された初期画面を携帯端末１に表示させる。これにより、特定の位置で毎回同じ操作をするような場合に、トップページから目当ての操作ページに移動するまでの、画面をスクロールさせたり、メニューのクリックを行ったりといった、操作の手間を省くことができる。よって、使用者は、ログイン後比較的すぐに、例えば宅内機器２の電源オン／オフや、例えば宅内機器２としての監視装置の映像確認など、目当ての操作を行うことができる。また、ページを移動する際に発生する、画面が表示されるまでの通信完了の待ち時間を短縮することができる。これは、単に待ち時間を短縮するだけでなく、通信量の削減にもつながる。例えば携帯端末１が携帯電話等の場合、パケット通信料の抑制につながる。さらに、ユーザによるページ移動のためのＵＲＬアクセス数を減らすことで、サーバ３の負荷の軽減も期待できる。これらは、特に、昼休みや帰宅ラッシュ時等の、通信が混み合う時間帯に効果が大きいと予想される。また、宅内機器を制御するサービスでは、一般に、ユーザの現在位置や現在位置から自宅までの距離によって、使いたいサービスが異なる傾向がある。例を挙げると、住宅の近くにいる場合は玄関錠、帰宅途中の場合は宅内機器の電源操作、遠方にいる場合はセキュリティ確認、などである。このため、本実施形態のように、携帯端末１の位置に応じて初期画面を選択することで、操作の手間を軽減し、通信待ち時間を短縮でき、これによりユーザはより早くサービス利用を開始することができる。つまりユーザのサービス利用がより快適になることが期待できる。
【００４３】
本実施形態のサーバ３は、携帯端末１とユーザの自宅との距離に応じて、あらかじめ設定された初期画面を携帯端末１に表示させる。これにより、ユーザは、例えば自宅から５０ｍ以下の範囲内でサーバ３にログインした場合は玄関の電気錠の操作ページを初期画面として表示させる、などのように、自宅からの距離に応じた初期画面の画面内容を設定し、表示させることができる。
【００４４】
本実施形態のサーバ３は、携帯端末１の地図上の地点に応じて、あらかじめ設定された初期画面を携帯端末１に表示させる。これにより、ユーザは、例えば電車利用時に特定の駅でサーバ３にログインした場合はエアコンの操作ページを初期画面として表示させる、などのように、地点に応じた初期画面の画面内容を設定し、表示させることができる。特に、例えばユーザが電車で通勤をしている場合などのように、日常的な移動に、徒歩と電車のように移動速度が異なる移動方法が混在する場合は、自宅からの距離ではなく、例えば駅などという地点を基準とする本実施形態が有効となる。
【００４５】
本実施形態のサーバ３はさらに、携帯端末１とユーザの自宅との距離と、携帯端末１の地図上の地点との両方を考慮し、携帯端末１の位置に応じて、あらかじめ設定された初期画面を携帯端末１に表示させる。また、距離と地点とが競合する位置条件となる場合には、あらかじめ設定された優先順位に基づいてどちらを採用するか決定する。これにより、競合する位置条件が存在する場合に、優先する位置条件を明確にすることができるので、ユーザがその位置に応じて望む処理が実行される可能性が高まる。
【００４６】
また、本実施形態のサーバ３は、携帯端末１の位置に応じて、あらかじめ設定された制御を実行し、その制御の完了画面を初期画面として携帯端末１に表示させる。これにより、特定の位置で毎回同じ操作をするような場合に、ユーザが毎回操作を行わなくても宅内機器２操作用のページを介することなく自動で操作が行われ、その完了通知画面が表示される。このため、操作の手間が省けるとともに、制御が行われたことの確認も、画面切り替えなどの手間や時間をかけることなく行うことができる。
【００４７】
なお、本実施形態においては、携帯端末１と自宅との距離と、携帯端末１の地図上の地点とを位置情報として取得するが、携帯端末１の地図上の地点は考慮しない構成でもよい。このとき、サーバ３は、機器制御部３０１とサーバ側通信部３０２と識別処理部３０３と位置判断部３０４と初期画面記憶部３０５と起動部３０６とを備える。機器制御部３０１は、携帯端末１から入力される制御内容に従い宅内機器２の制御を行う。サーバ側通信部３０２は、携帯端末１および宅内機器２との通信を行う。識別処理部３０３は、サーバ側通信部３０２を介して通信中の携帯端末１の特定を行う。位置判断部３０４は、通信中の携帯端末１の位置に関する情報を取得し、その位置に関する情報から位置情報を得る。初期画面記憶部３０５は、携帯端末１ごとに、種々の位置条件と、それら位置条件にそれぞれ対応する複数の初期画面の内容を定める画面情報とをあらかじめ記憶する。起動部３０６は、識別処理部３０３により特定され、初期画面記憶部３０５に記憶されている通信中の携帯端末１の画面内容から、位置判断部３０４により判断された位置情報に対応する位置条件に対応した初期画面を抽出する。そして、起動部３０６は、その初期画面を携帯端末１に提供する。さらに、このサーバ３は、宅内機器２が設置されている住宅の位置情報を、携帯端末１ごとに記憶する位置情報記憶部３０７を備える。このとき位置判断部３０４は、通信中の携帯端末１の位置に関する情報と位置情報記憶部３０７に記憶されている携帯端末１に対応する住宅の位置情報とから、この携帯端末１の位置情報として、携帯端末１の住宅からの距離を取得する。
【００４８】
この場合、図８に構成図を示すように、地図情報取得部３０８はなくてもよい。また、優先条件記憶部３０９も必要なくなる。ただし、例えば座標といった、携帯端末１と自宅との距離以外のものも携帯端末１の位置とする場合には、位置条件が競合する可能性があるので、優先条件記憶部３０９を用いることが望ましい。
【００４９】
また、本実施形態においては、携帯端末１と自宅との距離と、携帯端末１の地図上の地点とを位置情報として取得するが、携帯端末１と自宅との距離は考慮しない構成でもよい。このとき、サーバ３は、機器制御部３０１とサーバ側通信部３０２と識別処理部３０３と位置判断部３０４と初期画面記憶部３０５と起動部３０６とを備える。機器制御部３０１は、携帯端末１から入力される制御内容に従い宅内機器２の制御を行う。サーバ側通信部３０２は、携帯端末１および宅内機器２との通信を行う。識別処理部３０３は、サーバ側通信部３０２を介して通信中の携帯端末１の特定を行う。位置判断部３０４は、通信中の携帯端末１の位置に関する情報を取得し、その位置に関する情報から位置を得る。初期画面記憶部３０５は、携帯端末１ごとに、種々の位置条件と、それら位置条件にそれぞれ対応する複数の初期画面の内容を定める画面情報とをあらかじめ記憶する。起動部３０６は、識別処理部３０３により特定され、初期画面記憶部３０５に記憶されている通信中の携帯端末１の画面内容から、位置判断部３０４により判断された位置情報に対応する位置条件に対応した初期画面を抽出する。そして、起動部３０６は、その初期画面を携帯端末１に提供する。さらに、このサーバ３は、地図情報を取得する地図情報取得部３０８を備える。このとき位置判断部３０４は、通信中の携帯端末１の位置に関する情報と地図情報取得部３０８によって取得された地図情報とから、携帯端末１の位置情報として、この携帯端末１の地図上の地点を得る。
【００５０】
この場合、図９に構成図を示すように、位置情報記憶部３０７は必要なくなる。また、優先条件記憶部３０９も必要なくなる。ただし、例えば座標といった、地図上の地点以外のものも携帯端末１の位置とする場合には、位置条件が競合する可能性があるので、優先条件記憶部３０９を用いることが望ましい。
【００５１】
本実施形態においては、携帯端末１の位置情報に応じて、あらかじめ設定された制御を実行し、その制御の完了画面を初期画面として携帯端末１に表示させるが、この構成はなくてもよい。このときの構成図は図１０のようになる。
【００５２】
本実施形態では、携帯端末１と住宅との距離や携帯端末１の地図上の地点を携帯端末１の位置情報としているが、これら以外のものを携帯端末１の位置とするようにしてもよい。例えば、座標情報そのものを携帯端末１の位置情報としても構わない。このとき、位置判断部３０４は、携帯端末１から送信された位置に関する情報が座標情報である場合、その座標が携帯端末１の位置情報であると判断する。この場合、図１１のように、住宅位置情報取得部３０７や地図情報取得部３０８は不要となる。なお、携帯端末１と住宅との距離や携帯端末１の地図上の地点に加えて、座標情報そのものを携帯端末１の位置としても構わない。
【００５３】
なお、携帯端末１の位置情報が、初期画面記憶部３０５や自動制御内容記憶部３１０の記憶内容の位置条件に当てはまるかの判断について、許容範囲を設け、厳密には位置条件に当てはまらない場合にも、許容範囲内であれば、当てはまるとみなしてもよい。例えば、携帯端末１の位置情報が、京阪ＸＸ駅から隣駅へ向かって１０ｍの地点であったとする。この位置は、厳密には京阪ＸＸ駅という位置条件には該当しないが、許容範囲を半径３０ｍとした場合には、京阪ＸＸ駅という位置条件に該当することになる。許容範囲は、一括で設定してもよいし、位置条件ごとに設定してもよい。
【００５４】
本発明を幾つかの好ましい実施形態について記述したが、この発明の本来の精神および範囲、即ち請求の範囲を逸脱することなく、当業者によって様々な修正および変形が可能である。
【図１】
2013002034.tif 000003
【図２】
2013002034.tif 000004
【図３】
2013002034.tif 000005
【図４】
2013002034.tif 000006
【図５】
2013002034.tif 000007
【図６】
2013002034.tif 000008
【図７】
2013002034.tif 000009
【図８】
2013002034.tif 000010
【図９】
2013002034.tif 000011
【図１０】
2013002034.tif 000012
【図１１】
2013002034.tif 000013
【国際調査報告】
2013002034.tif 000014
2013002034.tif 000015
2013002034.tif 000016
2013002034.tif 000017